(57)【要約】【課題】ポールに係留されたのぼり旗の形状を安定化させることができる安定化器具を提供する。【解決手段】安定化器具１は、のぼり旗に取り付けられる棒状部材に嵌合する嵌合部１０と、嵌合部１０が、のぼり旗が係留されるポールを中心として旋回可能、且つ、該ポールに沿って移動可能な状態となるように、嵌合部１０を該ポールに装着する装着部２０とを有しており、嵌合部１０と装着部２０とは、例えば、ＡＥＳ樹脂等の弾性の部材により一体成形されている。そして、嵌合部１０には、のぼり旗の下端に取り付けられる２本の横方向棒状部材に嵌合する二つの孔部１１ａ，１１ｂが、装着されるポールに沿った方向に並んで形成されている。【選択図】図１
0003157477.tif 000002
【実用新案登録請求の範囲】
【請求項１】
のぼり旗の下端に取り付けられる横方向棒状部材を嵌合可能な孔部が並んだ状態で二つ形成されている嵌合部と、
前記嵌合部に形成された二つの前記孔部が、前記のぼり旗を係留するポールに沿って並び、且つ該ポールを中心として前記嵌合部が旋回可能な状態となるように、前記嵌合部を前記ポールに装着する装着部と、
を備えることを特徴とする安定化器具。
【請求項２】
請求項１に記載の安定化器具において、
前記嵌合部には、前記のぼり旗と、該のぼり旗が係留される前記ポールとの間に、該のぼり旗の側端に沿って配置される縦方向棒状部材により挿通される挿通口がさらに形成されていること、
を特徴とする安定化器具。
【請求項３】
請求項１または請求項２に記載の安定化器具において、
二つの当該安定化器具を、互いの上下方向が反対となり、且つ前記装着部同士が当接するように前記ポールに装着した際に、前記嵌合部が前記ポールを挟んで線対称な位置に配置されるように、前記装着部の形状、及び前記嵌合部の位置が設定されていること、
を特徴とする安定化器具。
【請求項４】
請求項３に記載の安定化器具において、
前記装着部は、少なくともその一方の側縁が装着される前記ポールと直交する直交面に沿うように形成されていると共に、その一部が開かれており、その開かれた部位の間隔を拡縮可能な弾性を有している環状部材として構成され、
前記嵌合部は、前記装着部の外周面における前記開かれた部位に対面する位置に形成されており、二つの前記孔部は、前記直交面を中心として対称となる位置にそれぞれ配置されていること、
を特徴とする安定化器具。
【請求項５】
請求項４に記載の安定化器具において、
前記装着部における前記直交面に沿った前記側縁には、装着される前記ポールに沿って突出する凸部と、該凸部に嵌合可能な形状の凹部とのうちの少なくとも一方が形成されており、該凸部或いは該凹部は、当該安定化器具と他の安定化器具とが、前記側縁同士が当接し、且つ、前記嵌合部が前記ポールを挟んで線対称な位置に配置された状態で前記ポールに装着した際に、前記他の安定化器具に形成された前記凹部或いは前記凸部と嵌合可能となる位置に配置されていること、
を特徴とする安定化器具。
【考案の詳細な説明】
【技術分野】
【０００１】
本考案は、ポールに取り付けられたのぼり旗の形状を安定化させる安定化器具に関する。
【背景技術】
【０００２】
のぼり旗は野外広告物として多くの業種において古くから用いられている。こののぼり旗は、通常、その上端や側端に乳輪と呼ばれるリング状の吊り紐が縫製されており、ポールやポールの先端から横方向に突出する棒部材を乳輪に挿通することにより、ポール等に係留される。
【０００３】
ここで、特許文献１には、乳輪に替えて、可撓弾性を有する開かれたリング状の係留保持具を用いてのぼり旗をポール等に係留させることが記載されている。この係留保持具は、その一端には係合突片が、他端には係合穴がそれぞれ設けられており、係合突片にのぼり旗の縁部を貫通させて係合穴に係合させることによりのぼり旗を係留保持具に係着させる。そして、ポール等を係留保持具に挿通させることにより、ポール等にのぼり旗が係留される。
【先行技術文献】
【特許文献】
【０００４】
【特許文献１】特開２００１−２８２１５６号公報
【考案の概要】
【考案が解決しようとする課題】
【０００５】
ところで、上述した乳輪等でポールに係留されたのぼり旗は、強風にあおられると、ポールに巻きついてしまったり、下端の裾部分が持ち上がってしまったり、バタついてしまう等といった場合があり、このような場合には、のぼり旗に記載された内容の視認が困難となり、宣伝効果が低減してしまう。
【０００６】
本願考案は上記課題に鑑みてなされたものであり、ポールに係留されたのぼり旗の形状を安定化させることができる安定化器具を提供することを目的とする。
【課題を解決するための手段】
【０００７】
上記課題に鑑みてなされた請求項１に記載の安定化器具は、のぼり旗の下端に取り付けられる横方向棒状部材を嵌合可能な孔部が並んだ状態で二つ形成されている嵌合部と、嵌合部に形成された二つの孔部が、のぼり旗を係留するポールに沿って並び、且つ該ポールを中心として嵌合部が旋回可能な状態となるように、嵌合部をポールに装着する装着部とを備える。
【０００８】
こうすることにより、ポールに係留されているのぼり旗の下端に沿って取り付けられた２本の横方向棒状部材を孔部に嵌合させた状態で安定化器具を該ポールに装着させることが可能となり、このようにして安定化器具をポールに装着させることにより、横方向棒状部材を、ポールを起点としてポールと直交する方向に延びた状態、且つ、ポールを中心として旋回可能な状態で保持することができる。
【０００９】
これにより、２本の横方向棒状部材が取り付けられたのぼり旗の下端は、横方向棒状部材に沿った形状に保持されるため、強風にあおられた場合であっても、のぼり旗の下端がポールに巻きついてしまうことや、のぼり旗の下端がバタついてしまうこと等を防ぐことができる。また、横方向棒状部材は、ポールを中心として旋回可能な状態となっているため、風にあおられた際にのぼり旗を風になびかせることができ、のぼり旗が有する広告物としての特徴を維持することができる。
【００１０】
尚、２本の横方向棒状部材は、一端を二つの孔部が並んで形成されたキャップ部材に嵌合させて一組とし、２本のうちの１本を、のぼり旗の下端を折り曲げて縫製することによりに形成された環状部に挿通させると共に、もう１本をのぼり旗の下端に沿ってのぼり旗の下側に配置した状態で、安定化器具に嵌合させても良い。また、一組を構成する２本の横方向棒状部材を環状部に挿通させた状態で、一組の横方向棒状部材を安定化器具に嵌合させても良い。このようにして２本の横方向棒状部材を用いることにより、のぼり旗の下端の形状を、より強力に横方向棒状部材に沿った形状に保持することができる。
【００１１】
したがって、請求項１に記載の安定化器具によれば、のぼり旗が有する広告物としての特徴を損なうことなく、のぼり旗の形状を安定化させることができるのである。
尚、２本の横方向棒状部材のうちの１本をのぼり旗の下端に沿ってのぼり旗の下側に配置する場合には、下側の横方向棒状部材に別の旗布を係留しても良い。こうすることにより、宣伝効果をより高めることが可能となる。
【００１２】
また、安定化器具は、次のように構成されていても良い。
すなわち、請求項２に記載されているように、嵌合部には、のぼり旗と、該のぼり旗が係留されるポールとの間に、該のぼり旗の側端に沿って配置される縦方向棒状部材により挿通される挿通口がさらに形成されていても良い。
【００１３】
こうすることにより、縦方向棒状部材を用いて、上述した一組の横方向棒状部材が嵌合された安定化器具をポールに係留されたのぼり旗の下端に対応する位置に配置された状態で保持することが可能となる。
【００１４】
具体的には、例えば、のぼり旗が係留されたポールに二つの安定化器具を装着し、一方をポールの先端付近に配置すると共に、他方を、のぼり旗の下端に取り付けられた一組の横方向棒状部材を嵌合した状態でのぼり旗の下端に対応する位置に配置する。そして、これらの安定化器具の挿通口に１本の縦方向棒状部材を挿通させるのである。こうすることにより、縦方向棒状部材により挿通された二つの安定化器具の間隔が一定に保持され、横方向棒状部材が嵌合された安定化器具を、ポールに係留されたのぼり旗の下端に対応する位置に保持することができるのである。
【００１５】
したがって、強風にあおられた場合であっても、のぼり旗の裾部分が持ち上がってしまうことを防ぐことができ、のぼり旗の形状をより安定化させることができる。
また、一本のポールに対し二つののぼり旗を係留させる場合が想定されるが、このような場合には、見栄えを良くするため、各のぼり旗をポールの両側に同じ高さで配置するということが考えられる。このとき、二つののぼり旗の形状が同じであると、のぼり旗の下端が同じ高さに位置することとなる。
【００１６】
そこで、請求項３に記載の安定化器具は、二つの当該安定化器具を、互いの上下方向が反対となり、且つ装着部同士が当接するようにポールに装着した際に、嵌合部がポールを挟んで線対称な位置に配置されるように、装着部の形状、及び嵌合部の位置が設定されている。
【００１７】
こうすることにより、嵌合部がポールの左右両側の同じ高さに配置される状態で、二つの安定化器具をポールに装着することができる。したがって、同形状の二つののぼり旗が一本のポールの両側に係留された場合であっても、これらののぼり旗の下端に取り付けられた横方向棒状部材に嵌合するように二つの安定化器具をポールに装着することができ、安定化器具の利便性を高めることができる。
【００１８】
より具体的には、安定化器具は、以下のように構成されていても良い。
すなわち、請求項４に記載されているように、装着部は、少なくともその一方の側縁が装着されるポールと直交する直交面に沿うように形成されていると共に、その一部が開かれており、その開かれた部位の間隔を拡縮可能な弾性を有している環状部材として構成され、嵌合部は、装着部の外周面における開かれた部位に対面する位置に形成されており、二つの孔部は、直交面を中心として対称となる位置にそれぞれ配置されていても良い。
【００１９】
尚、側縁とは、環状部材である装着部の外周面或いは内周面の両側に沿った側縁である。
こうすることにより、嵌合部がポールの左右両側に配置され、且つ、嵌合部に形成された二つの孔部がそれぞれ同じ高さに配置された状態で、二つの安定化器具をポールに装着することができる。したがって、同形状の二つののぼり旗が一本のポールの両側に係留された場合であっても、これらののぼり旗の下端に取り付けられた横方向棒状部材に嵌合するように二つの安定化器具をポールに装着することができ、安定化器具の利便性を高めることができる。
【００２０】
また、安定化器具の装着部は、以下のように形成されていても良い。
すなわち、請求項５に記載されているように、装着部における直交面に沿った側縁には、装着されるポールに沿って突出する凸部と、該凸部に嵌合可能な形状の凹部とのうちの少なくとも一方が形成されており、該凸部或いは該凹部は、当該安定化器具と他の安定化器具とが、側縁同士が当接し、且つ、嵌合部がポールを挟んで線対称な位置に配置された状態でポールに装着した際に、他の安定化器具に形成された凹部或いは凸部と嵌合可能となる位置に配置されていても良い。
【００２１】
こうすることにより、二つの安定化器具を、直交面に沿った側縁を互いに当接させると共に、嵌合部がポールの左右両側に配置された状態で保持することができる。
【図面の簡単な説明】
【００２２】
【図１】安定化器具の斜視図，三面図，断面図である。
【図２】安定化器具をポールに装着する際の説明図である。
【図３】安定化器具の使用形態についての説明図である。
【図４】キャップ部材の斜視図等である。
【考案を実施するための形態】
【００２３】
以下、本考案の実施形態について図面を用いて説明する。尚、本考案の実施の形態は、下記の実施形態に何ら限定されることはなく、本考案の技術的範囲に属する限り種々の形態を採りうる。
【００２４】
［構成の説明］
本実施形態ののぼり旗の安定化器具の構成について説明する。図１の（ａ）には安定化器具１の斜視図が記載されている。また、図１の（ｂ）には安定化器具１の三面図が記載されており、図１の（ｂ−１）が正面図、図１の（ｂ−２）が平面図、図１の（ｂ−３）が側面図となっている。また、図１の（ｃ）には、安定化器具１のＡ−Ａ´断面図が記載されている。
【００２５】
安定化器具１は、のぼり旗に取り付けられる棒状部材に嵌合する嵌合部１０と、嵌合部１０が、のぼり旗が係留されるポールを中心として旋回可能、且つ、該ポールに沿って移動可能な状態となるように、嵌合部１０を該ポールに装着する装着部２０とを有しており、嵌合部１０と装着部２０とは、例えば、ＡＥＳ（Acrylonitrile Butadiene Styrene）樹脂等の弾性の材料により一体成形されている。
【００２６】
装着部２０は、一定の高さに形成され、その一部が開かれている環状の部材であり、この開かれた部位である開部２１は、拡縮可能となっている。また、高さ方向に直交する一方の側縁（つまり、外周面或いは内周面の両側に位置する側縁）における開部２１に対面する位置には、開部２１する対応する形状を有する壁状の対面部２２が突出するように形成されている。この対面部２２は、開部２１と同じ幅を有する共に、装着部２０の高さと同じ高さを有しており、装着部２０の側端に沿って形成されている。また、対面部２２が形成された側の側縁には、高さ方向に突出する円柱状の凸部２３ｂと、凸部２３ｂが嵌合可能な孔状の凹部２３ａとが、装着部２０における内径を挟んで対面するように形成されている。そして、これらは、その対面方向が、対面部２２と開部２１との対面方向に直交するように配置されている。
【００２７】
また、嵌合部１０は、対面部２２における外周面側から、装着されるポールの反対方向に向かって突出しており、その長辺が装着されるポールに沿った方向となる楕円柱状の部材として形成されている。そして、その頂面には、のぼり旗の下端に取り付けられる横方向棒状部材に嵌合する二つの孔部１１ａ，１１ｂが、長辺の方向に並んで形成されている。また、この孔部１１ａ，１１ｂは、装着部２０における対面部２２が形成された側縁を含む基準面（特許請求の範囲における直交面に相当）を基準として対称となる位置に配置されている。
【００２８】
尚、二つの安定化器具１の装着部２０を、お互いの嵌合部１０を対面させた状態で、その対面部２２が形成された側縁を接するように上下の向きを反対にして重ね合わせることにより、対面部２２及び開部２１と、凹部２３ａ及び凸部２３ｂとを嵌合させることができる。
【００２９】
［安定化器具の装着について］
次に、安定化器具１をのぼり旗が係留されるポールに装着する際の様子について、図２の（ａ）に記載の説明図を用いて説明する。
【００３０】
安定化器具１は、その直径が、環状部材として形成された装着部２０の内径よりも短く、且つ、装着部２０における開部２１の間隔よりも長い円柱状のポール１００に装着することができる。具体的には、図２（ａ−１）に記載されているように、装着部２０の両端をのぼり旗が係留されるポール１００に当接させた状態で安定化器具１をポール１００に向けて押圧すると、装着部２０が開部２１の間隔が広がるように弾性変化し（図２（ａ−２）参照）、ポール１００に遊嵌される。そして、装着部２０がポールに遊嵌されると、図２（ａ−３）に記載されているように、安定化器具１は、ポール１００を中心として旋回可能、且つ、ポール１００に沿って移動可能な状態で保持される。
【００３１】
また、孔部１１ａ，１１ｂが同じ高さに配置した状態で、二つの安定化器具１を一組としてポールに装着することもできる。すなわち、二つの安定化器具１を、その対面部２２が形成された側縁が接するように、上下方向の向きを反対にして一つのポールに装着させ、対面部２２及び開部２１と、該側縁に形成された凹部２３ａ及び凸部２３ｂとを嵌合させるのである。こうすることにより、孔部１１ａ，１１ｂを同じ高さに配置した状態で、二つの安定化器具１をポールに装着することができる（図２の（ｂ）参照）。
【００３２】
［使用形態の説明］
次に、安定化器具１の使用形態について説明する。
図３の（ａ）には、１つののぼり旗２００が係留されたポール１００に、２本の横方向棒状部材３００，３１０が嵌合された安定化器具１が装着された際の様子（使用形態１）を示す説明図が記載されている。使用形態１では、ポール１００と、ポール１００の先端に、ポール１００と直交して一方に延びるように設けられた支持棒１５０に、のぼり旗２００が係留されている。そして、のぼり旗２００の下端に対応する位置に、安定化器具１が装着されている。
【００３３】
この使用形態１では、塩化ビニール製のパイプとして形成された２本の横方向棒状部材３００，３１０が、一端がキャップ部材４００（詳細は後述）に嵌合されることにより一組の横方向棒状部材３００，３１０とされ、一組の横方向棒状部材３００，３１０が、ポール１００に装着された安定化器具１の孔部１１ａ，１１ｂに嵌合されている。尚、この一組の横方向棒状部材３００，３１０は、安定化器具１に形成された孔部１１ａ，１１ｂと同様の間隔で二つの挿通口が並んで形成されているジョイント部材を挿通させた状態で、孔部１１ａ，１１ｂに嵌合されていても良い。
【００３４】
使用形態１では、一組の横方向棒状部材３００，３１０のうち、一方をのぼり旗２００の下端を折り返して縫製することにより形成された環状部２１０に挿通させると共に、他方には別の旗布２５０が係留されている。尚、図３の（ｂ）に記載されている使用形態２のように、一組の横方向棒状部材３００，３１０を共にのぼり旗２００の下端に形成された環状部２１０に挿通させても良い。
【００３５】
ここで、ＰＶＣ（Polyvinyl chloride）等の樹脂により形成されたキャップ部材４００について、図４を用いて説明する。図４の（ａ）には、キャップ部材４００の斜視図が、図４の（ｂ）にはキャップ部材４００の平面図が記載されている。また、図４の（ｃ）には、キャップ部材４００を、孔部４１０，４２０の並びに沿った方向から見た側面図と（図４の（ｃ−１））、孔部４１０，４２０の並ぶ向きに直交する方向から見た側面図とが記載されている（図４の（ｃ−２））。また、図４の（ｄ）には、キャップ部材４００のＡ−Ａ´断面図が記載されている。キャップ部材４００には、２本の横方向棒状部材３００，３１０と嵌合するための孔部４１０，４２０が、安定化器具１に形成されている孔部１１ａ，１１ｂと同様の間隔で並んで形成されている。
【００３６】
次に、使用形態３について、図３の（ｃ）を用いて説明する。使用形態３に用いられるのぼり旗５００は、のぼり旗の上端部と、一方の側端部と、下端部とに、使用形態１におけるのぼり旗２００における環状部２１０と同様の上端側環状部５１０と、側端側環状部５２０と、下端側環状部５３０とが形成されていると共に、下端側環状部５３０の両端が矩形に切り欠かれている。
【００３７】
また、ポール１００には、上端付近の位置と、係留されたのぼり旗５００の下端に対応する位置とに、二つの安定化器具１が装着されており、これらの安定化器具１は、嵌合部１０が係留されたのぼり旗５００を向いた状態で配置されている。そして、１本の縦方向棒状部材３２０がこれらの安定化器具１の挿通口１２を挿通し、ポール１００とのぼり旗２００との間にポールに沿って配置された状態で保持される。
【００３８】
また、のぼり旗５００の下端側環状部５３０には、使用形態１と同様にして一組の横方向棒状部材３００，３１０が取り付けられており、下端に対応する位置に装着された安定化器具１の孔部１１ａ，１１ｂには、使用形態１と同様にして一組の横方向棒状部材３００，３１０が嵌合されている。そして、下側に配置された横方向棒状部材３１０には、のぼり旗５００とは別に旗布５５０が係留されている。
【００３９】
尚、使用形態３において、使用形態１にて用いられたのぼり旗２００を係留しても良く、このような場合には、のぼり旗２００の上端のチチテープが支持棒１５０により挿通されると共に、側端のチチテープが縦方向棒状部材３２０に挿通されることにより、のぼり旗２００がポール１００等に係留される。
【００４０】
次に、使用形態３と同様の二つののぼり旗５００を１本のポールに係留する使用形態４について、図３の（ｄ）を用いて説明する。使用形態４では、ポール１００の先端には、支持棒１６０がポール１００に直交して左右両方向に延びるように設けられており、使用態様３と同様の２つののぼり旗５００がポール１００の左右両側に配置され、使用形態３と同様にしてポール１００等に係留されている。
【００４１】
ここで、対面部２２と開部２１とが嵌合した状態でポール１００に装着され、孔部１１ａ，１１ｂが同じ高さに位置する二つの安定化器具１を一組の安定化器具１とする。使用形態４では、ポール１００の先端付近と、のぼり旗５００の下端に対応する位置には、一組の安定化器具１が装着されている。また、この一組を形成する安定化器具１は、それぞれ、嵌合部１０が支持棒１６０に沿って並んで配置されるようにポール１００に装着されている（つまり、一組を構成する各安定化器具１の嵌合部１０が、異なるのぼり旗５００に対応する位置に配置される）。
【００４２】
また、のぼり旗５００の下端に対応する位置に配置された一組の安定化器具１には、それぞれ、使用形態３と同様にして、一組の横方向棒状部材３００，３１０が嵌合されている。また、各のぼり旗５００とポール１００との間には、それぞれ、縦方向棒状部材３２０が配置されており、各縦方向棒状部材３２０は、自身に隣接するのぼり旗５００に対応する安定化器具１の挿通口１２を挿通していると共に、自身に対応して配置されたのぼり旗５００の側端側環状部５２０を挿通している。
【００４３】
［効果］
本実施形態の安定化器具１は、ポール１００に係留されているのぼり旗２００の下端に沿って取り付けられた一組の横方向棒状部材３００，３１０を孔部に嵌合させた状態で安定化器具をポール１００に装着される。そして、このようにしてポール１００に装着させることにより、横方向棒状部材３００，３１０を、ポール１００を起点としてポール１００と直交する方向に延びた状態、且つ、ポール１００を中心として旋回可能な状態、且つ、ポール１００に沿って移動可能な状態に保持することができる。
【００４４】
これにより、一組の横方向棒状部材３００，３１０が取り付けられたのぼり旗２００の下端は、横方向棒状部材３００，３１０に沿った形状に保持されるため、強風にあおられた場合であっても、のぼり旗２００の下端がポール１００に巻きついてしまうことや、ののぼり旗２００の下端がバタついてしまうこと等を防ぐことができる。また、横方向棒状部材３００，３１０は、ポール１００を中心として旋回可能な状態となっているため、風にあおられた際にのぼり旗２００を風になびかせることができ、のぼり旗２００が有する広告物としての特徴を維持することができる。
【００４５】
したがって、安定化器具１によれば、のぼり旗２００が有する広告物としての特徴を損なうことなく、のぼり旗２００の形状を安定化させることができるのである。
また、一組の横方向棒状部材３００，３１０はキャップ部材４００に嵌合されており、のぼり旗２００の下端は、キャップ部材４００とポール１００との間に配置される（つまり、キャップ部材４００は、のぼり旗２００におけるポール１００から離れた側の側端（以後、外側の側端と記載）よりも、さらにポール１００から離れた位置に配置される）。このような位置にキャップ部材４００が配置されることにより、風にあおられた場合等に、のぼり旗２００の外側の側端が直接障害物に衝突してしまうことを防ぐことができ、のぼり旗２００を保護することができる。
【００４６】
［他の実施形態］
（１）本実施形態では、安定化器具１が装着するポール１００は円柱状に形成されている。しかしながら、ポール１００の形状は円柱状に限定されるものではなく、例えば、角柱状に形成されていても良い。
【００４７】
（２）本実施形態では、安定化器具１の装着部２０は一定の高さに形成されているが、装着部２０の高さは、必ずしも一定である必要は無い。装着部２０がポール１００に装着した際、対面部２２が形成される側の側縁がポール１００に直交した状態となれば同様の効果を得ることができ、装着部２０は、この状態を形成するようにポール１００に装着すれば良い。このため、対面部２２が形成されていない側の側縁はどのような形状であっても良く、例えば、波線状に形成されていても良いし、凹凸を有していても良い。
【００４８】
（３）本実施形態では、装着部２０における対面部２２が形成された側の側縁には、高さ方向に突出する円柱状の凸部２３ｂと、凸部２３ｂが嵌合可能な孔状の凹部２３ａとが、装着部２０における内径を挟んで対面するように形成されている。そして、これらは、その対面方向が、対面部２２と開部２１との対面方向に直交するように配置されている。しかし、凹部２３ａ及び凸部２３ｂは、内径を挟んで対面する位置に形成されていれば良く、必ずしもその対面方向が対面部２２と開部２１との対面方向に直交するよう配置されている必要は無い。具体的には、例えば、凹部２３ａ及び凸部２３ｂは、それぞれ、対面部２２と開部２１に隣接する位置に形成されていても良い。
【００４９】
また、本実施形態では、上記側縁には一組の凹部２３ａ及び凸部２３ｂが形成されているが、複数組の凹部及び凸部が内径を挟んで対面する位置に形成されていても良い。
また、例えば、一方の安定化器具における上記側縁の所定位置に凹部のみを設け、他方の安定化器具における上記所定位置と同じ位置に凸部のみを設けても良い。このようにして凹部や凸部を設けた場合であっても、これら二つの安定化器具１を、その対面部２２が形成された側縁が接するように上下方向の向きを反対にして一つのポールに装着させた際に、凹部と凸部とを嵌合させることができる。
【００５０】
また、本実施形態では、凸部２３ｂは円柱状に形成されているが、凸部２３ｂの形状はこれに限定されるものではなく、例えば、角柱状に形成されていても良い。また、凹部２３ａに関しても、本実施形態では孔状に形成されているが、凹部２３ａの形状はこれに限定されるものではない。凹部２３ａの形状は、二つの安定化器具１を凹部２３ａ及び凸部２３ｂとさせた状態でポールに装着した際、少なくとも、これらの安定化器具１が自身の嵌合部１０の突出方向にずれないよう固定可能となる形状であれば良く、例えば、切欠き状に形成されていても良い。
【符号の説明】
【００５１】
１…安定化器具、１０…嵌合部、１１…孔部、１２…挿通口、２０…装着部、２１…開部、２２…対面部、２３ａ…凹部、２３ｂ…凸部、１００…ポール、１５０…支持棒、１６０…支持棒、２００…のぼり旗、２１０…環状部、２５０…旗布、３００…横方向棒状部材、３１０…横方向棒状部材、３２０…縦方向棒状部材、４００…キャップ部材、４１０…孔部、４２０…孔部、５００…のぼり旗、５１０…上端側環状部、５２０…側端側環状部、５３０…下端側環状部、５５０…旗布。
【図１】
0003157477.tif 000003
【図２】
0003157477.tif 000004
【図３】
0003157477.tif 000005
【図４】
0003157477.tif 000006